(57)【要約】【課題】小型、低背、低Ｆナンバーの要求を満足しながらも、望遠比が小さく、良好な光学特性を備える撮像レンズを提供する。【解決手段】物体側から像側に向かって順に、正の屈折力を有する第１レンズと、第２レンズと、第３レンズと、両面に非球面が形成された第４レンズと、両面に非球面が形成された第５レンズと、像側に凸面を向けた第６レンズとから構成されており、光学全長をＴＴＬ、撮像レンズ全系の焦点距離をｆとしたとき、次の条件式を満足する。０．６＜ＴＴＬ／ｆ＜１．０【選択図】図１
2020024337.tif 000002
【特許請求の範囲】
【請求項１】
物体側から像側に向かって順に、正の屈折力を有する第１レンズと、第２レンズと、第３レンズと、両面に非球面が形成された第４レンズと、両面に非球面が形成された第５レンズと、像側に凸面を向けた第６レンズとから構成され、
前記第５レンズは、光軸近傍で負の屈折力を有しており、
以下の条件式（１）、（２）、および（３）を満足することを特徴とする撮像レンズ。
（１）０．６０＜ＴＴＬ／ｆ＜１．００
（２）１．００＜ｒ２／ｆ＜１．９０
（３）０．７２＜Ｄ２／Ｄ３＜１．０７
ただし、
ＴＴＬ：光学全長
ｆ：撮像レンズ全系の焦点距離
ｒ２：第１レンズの像側の面の近軸曲率半径
Ｄ２：第２レンズの光軸上の厚み
Ｄ３：第３レンズの光軸上の厚み
【請求項２】
前記第５レンズの像側の面は、光軸近傍で像側に凹面を向けており、光軸上以外の位置に極点を有する形状であることを特徴とする請求項１に記載の撮像レンズ。
【請求項３】
以下の条件式（４）を満足することを特徴とする請求項１に記載の撮像レンズ。
（４）０．５０＜ｒ１０／ｆ＜１．００
ただし、
ｒ１０：第５レンズの像側の面の近軸曲率半径
【請求項４】
以下の条件式（５）を満足することを特徴とする請求項１に記載の撮像レンズ。
（５）−１３．００＜ｒ１２／ｆ＜−１．９０
ただし、
ｒ１２：第６レンズの像側の面の近軸曲率半径
【請求項５】
以下の条件式（６）を満足することを特徴とする請求項１に記載の撮像レンズ。
（６）−０．２＜（Ｎｄ６−１）／ｒ１１≦０．０
ただし、
Ｎｄ６：第６レンズのｄ線に対する屈折率
ｒ１１：第６レンズの物体側の面の近軸曲率半径
【請求項６】
前記第２レンズは、光軸近傍で像側に凹面を向けたメニスカス形状であることを特徴とする請求項１に記載の撮像レンズ。
【請求項７】
前記第２レンズは、負の屈折力を有し、以下の条件式（７）を満足することを特徴とする請求項１に記載の撮像レンズ。
（７）−１．３０＜ｆ２／ｆ＜−０．７０
ただし、
ｆ２：第２レンズの焦点距離
【請求項８】
前記第５レンズは、以下の条件式（８）を満足することを特徴とする請求項１に記載の撮像レンズ。
（８）−１．８０＜ｆ５／ｆ＜−０．８０
ただし、
ｆ５：第５レンズの焦点距離
【請求項９】
以下の条件式（９）を満足することを特徴とする請求項１に記載の撮像レンズ。
（９）０．３０＜Ｔ３／Ｔ４＜０．９０
ただし、
Ｔ３：第３レンズの像側の面から第４レンズの物体側の面までの光軸上の距離
Ｔ４：第４レンズの像側の面から第５レンズの物体側の面までの光軸上の距離
【請求項１０】
以下の条件式（１０）を満足することを特徴とする請求項１に記載の撮像レンズ。
（１０）０．０５＜Ｄ６／ｆ＜０．２５
ただし、
Ｄ６：第６レンズの光軸上の厚み
【請求項１１】
以下の条件式（１１）を満足することを特徴とする請求項１に記載の撮像レンズ。
（１１）１．８０＜｜ｒ９｜／ｆ＜１９．００
ただし、
ｒ９：第５レンズの物体側の面の近軸曲率半径
【請求項１２】
以下の条件式（１２）を満足することを特徴とする請求項１に記載の撮像レンズ。
（１２）３．５＜｜ｆ３｜／ｆ
ただし、
ｆ３：第３レンズの焦点距離
【請求項１３】
以下の条件式（１３）を満足することを特徴とする請求項１に記載の撮像レンズ。
（１３）−７．０＜（Ｄ５／ｆ５）×１００＜−２．０
ただし、
Ｄ５：第５レンズの光軸上の厚み
ｆ５：第５レンズの焦点距離
【請求項１４】
以下の条件式（１４）を満足することを特徴とする請求項１に記載の撮像レンズ。
（１４）９．０＜（Ｔ４／ｆ）×１００＜２４．０
ただし、
Ｔ４：第４レンズの像側の面から第５レンズの物体側の面までの光軸上の距離
【請求項１５】
以下の条件式（１５）を満足することを特徴とする請求項１に記載の撮像レンズ。
（１５）０．６０＜ＴＴＬ／（２×ｉｈ）＜１．００
ただし、
ｉｈ：最大像高
【発明の詳細な説明】
【技術分野】
【０００１】
本発明は、撮像装置に使用されるＣＣＤセンサやＣ-ＭＯＳセンサの固体撮像素子上に被写体の像を結像させる撮像レンズに関するものである。
【背景技術】
【０００２】
近年、情報端末機器、家電製品、自動車等、様々な製品にカメラ機能が搭載されるようになった。今後も、カメラ機能を融合させた様々な商品開発が進んでいくものと考えられる。
【０００３】
このような機器に搭載される撮像レンズは、小型でありながらも高い解像性能が求められる。
【０００４】
従来の高性能化を目指した撮像レンズとしては、例えば、以下の特許文献１や特許文献２のような撮像レンズが知られている。
【０００５】
特許文献１には、物体側から順に、プラスチック材料の第１レンズと、負の屈折力を有するプラスチック材料の第２レンズと、正の屈折力を有するプラスチック材料の第３レンズと、ガラス材料の第４レンズと、プラスチック材料の第５レンズと、ガラス材料の第６レンズとを備えた撮像レンズが開示されている。
【０００６】
特許文献２には、物体側から順に、第１レンズと、第２レンズと、第３レンズと、第４レンズと、第５レンズと、第６レンズとを備え、前記第１レンズは正の屈折力を有し、前記第４レンズは負の屈折力を有し、前記第５レンズの物体側の面は光軸近傍で凹面であり、前記第６レンズは像側の面が光軸近傍で凸面で、物体側の面および像側の面が非球面であり、物体側の面および像側の面の少なくとも一面に少なくとも一つの変曲点を有する撮像レンズが開示されている。
【先行技術文献】
【特許文献】
【０００７】
【特許文献１】中国特許出願公告第１０８０８９３１６号明細書
【特許文献２】台湾特許第６１７８３４号明細書
【発明の概要】
【発明が解決しようとする課題】
【０００８】
特許文献１に記載の撮像レンズは、望遠比（光学全長と焦点距離との比率）が大きく、低背化に課題がある。
【０００９】
特許文献２に記載の撮像レンズは、全長対角比（光学全長と撮像素子の対角線長との比率）が大きく、低背化に課題がある。
【００１０】
本発明は、上述した課題に鑑みてなされたものであり、小型、低背、および低Ｆナンバーの要求をバランスよく満足するとともに、望遠比が小さく、諸収差が良好に補正された高い解像力を備える撮像レンズを提供することを目的とする。
【００１１】
また、本発明において使用する用語に関し、レンズの面の凸面、凹面、平面とは光軸近傍（近軸）における形状を指すものと定義する。屈折力とは、光軸近傍（近軸）における屈折力を指すものと定義する。極点とは、接平面が光軸と垂直に交わる光軸上以外における非球面上の点として定義する。光学全長とは、最も物体側に位置する光学素子の物体側の面から撮像面までの光軸上の距離として定義する。なお、光学全長やバックフォーカスは、撮像レンズと撮像面との間に配置されるＩＲカットフィルタやカバーガラス等の厚みを空気換算して得られる距離とする。
【課題を解決するための手段】
【００１２】
本発明による撮像レンズは、物体側から像側に向かって順に、正の屈折力を有する第１レンズと、第２レンズと、第３レンズと、両面に非球面が形成された第４レンズと、両面に非球面が形成された第５レンズと、像側に凸面を向けた第６レンズから構成される。
【００１３】
上記構成の撮像レンズは、第１レンズは、正の屈折力を強めることで、小型化と低背化を図る。
【００１４】
第２レンズ、第３レンズは、小型化と低背化を維持しながら、球面収差、コマ収差、非点収差、および像面湾曲等の諸収差をバランスよく補正する。
【００１５】
第４レンズ、第５レンズは、両面に非球面を形成することで周辺部の収差を良好に補正する。
【００１６】
第６レンズは、歪曲収差を良好に補正する。また、第６レンズの像側の面を像側に凸面とすることで、当該面から射出する軸外光線の射出角を小さく抑えることができるため、軸外の諸収差を良好に補正する。
【００１７】
また、上記構成の撮像レンズにおいては、以下の条件式（１）を満足することが望ましい。
（１）０．６０＜ＴＴＬ／ｆ＜１．００
ただし、ＴＴＬは光学全長、ｆは撮像レンズ全系の焦点距離である。
【００１８】
条件式（１）は、望遠比を規定するものである。条件式（１）の上限値を下回ることで、光学全長を短くでき、小型化を実現することが容易になる。一方、条件式（１）の下限値を上回ることで、歪曲収差や軸上色収差の補正が容易になり、良好な光学性能を維持することができる。
【００１９】
また、上記構成の撮像レンズにおいては、第１レンズの像側の面は、光軸近傍で像側に凹面を向けた形状とすることが望ましく、さらには以下の条件式（２）を満足することが望ましい。
（２）１．００＜ｒ２／ｆ＜１．９０
ただし、ｒ２は第１レンズの像側の面の近軸曲率半径、ｆは撮像レンズ全系の焦点距離である。
【００２０】
第１レンズの像側の面を光軸近傍で像側に凹面とすることで、球面収差やコマ収差の良好な補正が可能になる。
【００２１】
また、条件式（２）は、第１レンズの像側の面の光軸近傍の形状を規定するものである。条件式（２）の条件式を満たすことで、低背化を図るとともに、球面収差やコマ収差の良好な補正が可能になる。
【００２２】
また、上記構成の撮像レンズにおいては、以下の条件式（３）を満足することが望ましい。
（３）０．７２＜Ｄ２／Ｄ３＜１．０７
ただし、Ｄ２は第２レンズの光軸上の厚み、Ｄ３は第３レンズの光軸上の厚みである。
【００２３】
条件式（３）は、第２レンズの光軸上の厚み、および第３レンズの光軸上の厚みを適切な範囲に規定するものである。条件式（３）を満たすことで、球面収差の良好な補正が可能になる。
【００２４】
また、上記構成の撮像レンズにおいては、第５レンズは光軸近傍において負の屈折力を有することが望ましい。
【００２５】
第５レンズの屈折力を、光軸近傍で負にすることで、バックフォーカスの確保とともに色収差の良好な補正が可能になる。
【００２６】
また、上記構成の撮像レンズにおいては、第５レンズの像側の面は、光軸近傍で像側に凹面を向けており、光軸上以外の位置に極点を有する形状とすることが望ましく、さらには以下の条件式（４）を満足することが望ましい。
（４）０．５０＜ｒ１０／ｆ＜１．００
ただし、ｒ１０は第５レンズの像側の面の近軸曲率半径、ｆは撮像レンズ全系の焦点距離である。
【００２７】
第５レンズの像側の面を、光軸近傍で像側に凹面を向けるとともに、光軸上以外の位置に極点を有する形状とすることで、像面湾曲や歪曲収差の良好な補正が可能になる。
【００２８】
また、条件式（４）は、第５レンズの像側の光軸近傍の凹面の形状を規定するものである。条件式（４）の条件式を満たす凹面とすることで、バックフォーカスを適切に確保できる。また、歪曲収差とコマ収差の良好な補正が可能になる。
【００２９】
また、上記構成の撮像レンズにおいては、以下の条件式（５）を満足することが望ましい。
（５）−１３．００＜ｒ１２／ｆ＜−１．９０
ただし、ｒ１２は第６レンズの像側の面の近軸曲率半径、ｆは撮像レンズ全系の焦点距離である。
【００３０】
条件式（５）は、第６レンズの像側の面の光軸近傍の形状を規定するものである。条件式（５）の条件式を満たすことで、歪曲収差および倍率色収差の良好な補正が可能になる。
【００３１】
また、上記構成の撮像レンズにおいては、第６レンズの物体側の面は、光軸近傍で平面または物体側に凹面を向けていることが望ましく、さらには以下の条件式（６）を満足することが望ましい。
（６）−０．２０＜（Ｎｄ６−１）／ｒ１１≦０．０
ただし、Ｎｄ６は第６レンズのｄ線に対する屈折率、ｒ１１は第６レンズの物体側の面の近軸曲率半径である。なお、上限値の０．０は、近軸曲率半径ｒ１１が平面を含むことを意味する。
【００３２】
条件式（６）は、第６レンズの物体側の面の屈折力を適切な範囲に規定するものである。条件式（６）の条件式を満たすことで、倍率色収差と歪曲収差の良好な補正が可能になる。
【００３３】
また、上記構成の撮像レンズにおいては、第２レンズは、光軸近傍で像側に凹面を向けたメニスカス形状とすることが望ましい。
【００３４】
第２レンズを光軸近傍で像側に凹面を向けたメニスカス形状とすることで、軸上色収差、高次の球面収差やコマ収差、および像面湾曲の良好な補正が可能になる。
【００３５】
また、上記構成の撮像レンズにおいては、第２レンズの光軸近傍における屈折力は、負であることが望ましく、さらには以下の条件式（７）を満足することが望ましい。
（７）−１．３０＜ｆ２／ｆ＜−０．７０
ただし、ｆ２は第２レンズの焦点距離、ｆは撮像レンズ全系の焦点距離である。
【００３６】
第２レンズを負の屈折力にすることで、球面収差と色収差の良好な補正が可能になる。
【００３７】
また、条件式（７）は、第２レンズの屈折力を適切な範囲に規定するものである。条件式（７）の範囲を満足することで、低背化と、像面湾曲の良好な補正が可能になる。
【００３８】
また、上記構成の撮像レンズにおいては、以下の条件式（８）を満足することが望ましい。
（８）−１．８０＜ｆ５／ｆ＜−０．８０
ただし、ｆ５は第５レンズの焦点距離、ｆは撮像レンズ全系の焦点距離である。
【００３９】
条件式（８）は、第５レンズの屈折力を適切な範囲に規定するものである。条件式（８）の範囲を満足することで、低背化と、コマ収差および歪曲収差の良好な補正が可能になる。
【００４０】
また、上記構成の撮像レンズにおいては、以下の条件式（９）を満足することが望ましい。
（９）０．３０＜Ｔ３／Ｔ４＜０．９０
ただし、Ｔ３は第３レンズの像側の面から第４レンズの物体側の面までの光軸上の距離、Ｔ４は第４レンズの像側の面から第５レンズの物体側の面までの光軸上の距離である。
【００４１】
条件式（９）は、第３レンズと第４レンズとの間隔、および第４レンズと第５レンズとの間隔を適切な範囲に規定するための条件である。条件式（９）の範囲を満足することにより、コマ収差、球面収差等の良好な補正が可能になる。
【００４２】
また、上記構成の撮像レンズにおいては、以下の条件式（１０）を満足することが望ましい。
（１０）０．０５＜Ｄ６／ｆ＜０．２５
ただし、Ｄ６は第６レンズの光軸上の厚み、ｆは撮像レンズ全系の焦点距離である。
【００４３】
条件式（１０）は、第６レンズの光軸上の厚みを適切な範囲に規定するものである。条件式（１０）の上限値を下回ることで、第６レンズの光軸上の厚みが厚くなり過ぎることを防ぎ、低背化をより容易なものとする。一方、条件式（１０）の下限値を上回ることで、第６レンズの光軸上の厚みが薄くなり過ぎることを防ぎ、レンズの成型性を良好にする。また、条件式（１０）の範囲を満足することで、バックフォーカスを適切に確保しながら歪曲収差の良好な補正が可能になる。
【００４４】
また、上記構成の撮像レンズにおいては、以下の条件式（１１）を満足することが望ましい。
（１１）１．８０＜｜ｒ９｜／ｆ＜１９．００
ただし、ｒ９は第５レンズの物体側の面の近軸曲率半径、ｆは撮像レンズ全系の焦点距離である。
【００４５】
条件式（１１）は、第５レンズの物体側の面の光軸近傍の形状を規定するものである。条件式（１１）の条件式を満たすことで、バックフォーカスを適切に確保できる。また、歪曲収差とコマ収差の良好な補正が可能になる。
【００４６】
また、上記構成の撮像レンズにおいては、以下の条件式（１２）を満足することが望ましい。
（１２）３．５＜｜ｆ３｜／ｆ
ただし、ｆ３は第３レンズの焦点距離、ｆは撮像レンズ全系の焦点距離である。
【００４７】
条件式（１２）は、第３レンズの屈折力を適切な範囲に規定するものである。条件式（１２）の範囲を満足することで、球面収差や色収差の良好な補正が可能になる。
【００４８】
また、上記構成の撮像レンズにおいては、以下の条件式（１３）を満足することが望ましい。
（１３）−７．０＜（Ｄ５／ｆ５）×１００＜−２．０
ただし、Ｄ５は第５レンズの光軸上の厚み、ｆ５は第５レンズの焦点距離である。
【００４９】
条件式（１３）は、第５レンズの光軸上の厚みを適切な範囲に規定するものである。条件式（１３）の上限値を下回ることで、第５レンズの光軸上の厚みが薄くなり過ぎることを防ぎ、レンズの成型性を良好にする。一方、条件式（１３）の下限値を上回ることで、第５レンズの光軸上の厚みが厚くなり過ぎることを防ぎ、第５レンズの物体側、および像側の空気間隔の確保を容易にする。その結果、低背化が図られる。また、条件式（１３）の範囲を満足することで、歪曲収差、コマ収差の良好な補正が可能になる。
【００５０】
また、上記構成の撮像レンズにおいては、以下の条件式（１４）を満足することが望ましい。
（１４）９．０＜（Ｔ４／ｆ）×１００＜２４．０
ただし、Ｔ４は第４レンズの像側の面から第５レンズの物体側の面までの光軸上の距離、ｆは撮像レンズ全系の焦点距離である。
【００５１】
条件式（１４）は、第４レンズと第５レンズの光軸上の間隔を適切な範囲に規定するための条件である。条件式（１４）の範囲を満足することで、歪曲収差、コマ収差、球面収差、倍率色収差の良好な補正が可能になる。
【００５２】
また、上記構成の撮像レンズにおいては、以下の条件式（１５）を満足することが望ましい。
（１５）０．６０＜ＴＴＬ／（２×ｉｈ）＜１．００
ただし、ＴＴＬは光学全長、ｉｈは最大像高である。
【００５３】
条件式（１５）は、全長対角比（光学全長と撮像素子の対角線長との比率）、すなわち、低背の度合いを規定するものである。条件式（１５）を満足することにより、十分に低背化された撮像レンズが得られる。
【００５４】
また、上記構成の撮像レンズにおいては、以下の条件式（１６）を満足することが望ましい。
（１６）０．４０＜ｆ１／ｆ＜０．８０
ただし、ｆ１は第１レンズの焦点距離、ｆは撮像レンズ全系の焦点距離である。
【００５５】
条件式（１６）は、第１レンズの屈折力を適切な範囲に規定するものである。条件式（１６）の範囲を満足することで、第１レンズの正の屈折力が適切なものとなり、低背化が図られる。また、条件式（１６）の範囲を満足することで、球面収差およびコマ収差の良好な補正が可能になる。
【００５６】
また、上記構成の撮像レンズにおいては、以下の条件式（１７）を満足することが望ましい。
（１７）２．０＜｜ｆ６｜／ｆ＜２５．０
ただし、ｆ６は第６レンズの焦点距離、ｆは撮像レンズ全系の焦点距離である。
【００５７】
条件式（１７）は、第６レンズの屈折力を適切な範囲に規定するものである。条件式（１７）の範囲を満足することで、バックフォーカスを適切に確保しながら、歪曲収差、倍率色収差の良好な補正が可能になる。
【００５８】
また、上記構成の撮像レンズにおいては、以下の条件式（１８）を満足することが望ましい。
（１８）１．２０＜（Ｔ１／ｆ）×１００＜２．５０
ただし、Ｔ１は第１レンズの像側の面から第２レンズの物体側の面までの光軸上の距離、ｆは撮像レンズ全系の焦点距離である。
【００５９】
条件式（１８）は、第１レンズと第２レンズの光軸上の間隔を適切な範囲に規定するための条件である。条件式（１８）の範囲を満足することで、光学全長を短く抑制しながら、球面収差の良好な補正が可能になる。
【００６０】
また、上記構成の撮像レンズにおいては、以下の条件式（１９）を満足することが望ましい。
（１９）５．０＜（Ｔ３／ｆ）×１００＜１３．０
ただし、Ｔ３は第３レンズの像側の面から第４レンズの物体側の面までの光軸上の距離、ｆは撮像レンズ全系の焦点距離である。
【００６１】
条件式（１９）は、第３レンズと第４レンズの光軸上の間隔を適切な範囲に規定するための条件である。条件式（１９）の範囲を満足することで、コマ収差、球面収差の良好な補正が可能になる。
【００６２】
また、上記構成の撮像レンズにおいては、以下の条件式（２０）を満足することが望ましい。
（２０）ＴＴＬ／ＥＰＤ≦２．５
ただし、ＴＴＬは光学全長、ＥＰＤは入射瞳直径である。
【００６３】
条件式（２０）は、光学全長と入射瞳直径の関係を規定するものである。条件式（２０）の範囲を満足することにより、光学全長を短くしながら、周辺光量の低下を抑制し、画面中心から周辺まで十分に明るい画像が得られる。
【００６４】
また、上記構成の撮像レンズにおいては、以下の条件式（２１）を満足することが望ましい。
（２１）１．５０＜νｄ１／νｄ２＜３．５０
ただし、νｄ１は第１レンズのｄ線に対するアッベ数、νｄ２は第２レンズのｄ線に対するアッベ数である。
【００６５】
条件式（２１）は、第１レンズおよび第２レンズのｄ線に対するアッベ数の関係を規定するものである。条件式（２１）の範囲を満足する材料を採用することで、色収差の良好な補正が可能になる。
【００６６】
また、上記構成の撮像レンズにおいては、以下の条件式（２２）を満足することが望ましい。
（２２）１．５０＜νｄ３／νｄ４＜３．５０
ただし、νｄ３は第３レンズのｄ線に対するアッベ数、νｄ４は第４レンズのｄ線に対するアッベ数である。
【００６７】
条件式（２２）は、第３レンズおよび第４レンズのｄ線に対するアッベ数の関係を規定するものである。条件式（２２）の範囲を満足する材料を採用することで、色収差の良好な補正が可能になる。
【００６８】
また、上記構成の撮像レンズにおいては、以下の条件式（２３）を満足することが望ましい。
（２３）１．５０＜νｄ５／νｄ６＜３．５０
ただし、νｄ５は第５レンズのｄ線に対するアッベ数、νｄ６は第６レンズのｄ線に対するアッベ数である。
【００６９】
条件式（２３）は、第５レンズおよび第６レンズのｄ線に対するアッベ数の関係を規定するものである。条件式（２３）の範囲を満足する材料を採用することで、色収差の良好な補正が可能になる。
【００７０】
また、上記構成の撮像レンズにおいては、以下の条件式（２４）を満足することが望ましい。
（２４）１．００＜Ｄ３／Ｄ４＜１．３０
ただし、Ｄ２は第２レンズの光軸上の厚み、Ｄ３は第３レンズの光軸上の厚みである。
【００７１】
条件式（２４）は、第３レンズの光軸上の厚み、および第４レンズの光軸上の厚みの関係を適切な範囲に規定するものである。条件式（２４）の条件式を満たすことで、球面収差の良好な補正が可能になる。
【００７２】
また、上記構成の撮像レンズにおいては、以下の条件式（２５）を満足することが望ましい。
（２５）５．０＜ｆ４／ｆ
ただし、ｆ４は第４レンズの焦点距離、ｆは撮像レンズ全系の焦点距離である。
【００７３】
条件式（２５）は、第４レンズの屈折力を適切な範囲に規定するものである。条件式（２５）の範囲を満足することで、球面収差、色収差、歪曲収差の良好な補正が可能になる。
【００７４】
なお、条件式（２５）は、第４レンズの物体側の面および像側の面がともに光軸近傍で平面に形成された、光軸近傍で実質的に屈折力を有しないレンズも含まれる。
【００７５】
また、上記構成の撮像レンズにおいては、以下の条件式（２６）を満足することが望ましい。
（２６）Ｔ１＜Ｔ２＜Ｔ３＜Ｔ４
ただし、Ｔ１は第１レンズの像側の面から第２レンズの物体側の面までの光軸上の距離、Ｔ２は第２レンズの像側の面から第３レンズの物体側の面までの光軸上の距離、Ｔ３は第３レンズの像側の面から第４レンズの物体側の面までの光軸上の距離、Ｔ４は第４レンズの像側の面から第５レンズの物体側の面までの光軸上の距離である。
【００７６】
条件式（２６）は、第１レンズから第５レンズまでの光軸上の間隔の関係を規定するものである。条件式（２６）の範囲を満足することにより、コマ収差、球面収差、色収差の良好な補正が可能になる。
【発明の効果】
【００７７】
本発明により、小型、低背、低Ｆナンバーの要求をバランスよく満足するとともに、望遠比が小さく、諸収差が良好に補正された解像力の高い撮像レンズを得ることができる。
【図面の簡単な説明】
【００７８】
【図１】本発明の実施例１の撮像レンズの概略構成を示す図である。
【図２】本発明の実施例１の撮像レンズの球面収差、非点収差、歪曲収差を示す図である。
【図３】本発明の実施例２の撮像レンズの概略構成を示す図である。
【図４】本発明の実施例２の撮像レンズの球面収差、非点収差、歪曲収差を示す図である。
【図５】本発明の実施例３の撮像レンズの概略構成を示す図である。
【図６】本発明の実施例３の撮像レンズの球面収差、非点収差、歪曲収差を示す図である。
【図７】本発明の実施例４の撮像レンズの概略構成を示す図である。
【図８】本発明の実施例４の撮像レンズの球面収差、非点収差、歪曲収差を示す図である。
【発明を実施するための形態】
【００７９】
以下、本発明に係る実施形態について図面を参照しながら詳細に説明する。
【００８０】
図１、図３、図５、および図７はそれぞれ、本発明の実施形態の実施例１から４に係る撮像レンズの概略構成図を示している。
【００８１】
図１に示すように、本実施形態の撮像レンズは、物体側から像側に向かって順に、正の屈折力を有する第１レンズＬ１と、第２レンズＬ２と、第３レンズＬ３と、両面に非球面が形成された第４レンズＬ４と、両面に非球面が形成された第５レンズＬ５と、像側に凸面を向けた第６レンズＬ６から構成されている。
【００８２】
また、第６レンズＬ６と撮像面ＩＭＧ（すなわち、撮像素子の撮像面）との間には赤外線カットフィルタやカバーガラス等のフィルタＩＲが配置されている。なお、このフィルタＩＲは省略することが可能である。
【００８３】
開口絞りＳＴは、第１レンズＬ１の物体側に配置しているため、諸収差の補正を容易にするとともに、高像高の光線が撮像素子に入射する際の角度の制御を容易にしている。
【００８４】
第１レンズＬ１は、正の屈折力を有し、光軸Ｘの近傍で物体側に凸面を向けているとともに、像側に凹面を向けたメニスカス形状に形成されている。そのため、小型化と低背化を図りながら、球面収差、コマ収差を良好に補正している。
【００８５】
第２レンズＬ２は、負の屈折力を有し、光軸Ｘの近傍で物体側に凸面を向けているとともに、像側に凹面を向けたメニスカス形状に形成されている。そのため、軸上色収差、および高次の球面収差、コマ収差、像面湾曲を良好に補正している。
【００８６】
第３レンズＬ３は、負の屈折力を有し、光軸Ｘの近傍で物体側に凸面を向けているとともに、像側に凹面を向けたメニスカス形状に形成されている。そのため、高次の球面収差、コマ収差、像面湾曲を良好に補正している。なお、第３レンズＬ３の屈折力は、実施例３のように、正であってもよい。この場合、正の屈折力が第１レンズＬ１と第３レンズＬ３とに分配され、第１レンズＬ１が担う正の屈折力を低減させることができる。その結果、第１レンズＬ１の偏肉比が小さく抑えられ、第１レンズＬ１の成型性を良好にする効果が得られる。
【００８７】
第４レンズＬ４は、正の屈折力を有し、光軸Ｘの近傍で物体側に凸面を向けているとともに、像側に凹面を向けたメニスカス形状に形成されている。そのため、色収差、球面収差、コマ収差、像面歪曲を良好に補正している。
【００８８】
なお、第４レンズＬ４は、実施例３および実施例４のように、光軸Ｘの近傍で物体側、および像側ともに平面に形成され、光軸Ｘの近傍で実質的に屈折力を有しない形状を採用してもよい。この場合、撮像レンズ全系の焦点距離に影響を与えること無く、両面に形成した非球面形状によって、周辺部の非点収差、像面湾曲、歪曲収差、および色収差を良好に補正できる。
【００８９】
第５レンズＬ５は、負の屈折力を有し、光軸Ｘの近傍で物体側、および像側ともに凹面に形成されている。そのため、バックフォーカスを適切に確保しながら、色収差、歪曲収差、コマ収差を良好に補正している。また、光軸Ｘの近傍で両面を凹面にすることで強い曲率になることを抑え、製造誤差に対する感度を低減させる効果を得ている。なお、第５レンズＬ５の形状は、実施例３および実施例４のように、光軸Ｘの近傍で物体側に凸面を向けているとともに、像側に凹面を向けたメニスカス形状を採用してもよい。
【００９０】
さらに、第５レンズＬ５の像側の面には、光軸Ｘ上以外の位置に極点を有する非球面形状が形成されている。そのため、像面湾曲、歪曲収差のより良好な補正と、撮像素子への光線入射角の適切な制御が図られている。
【００９１】
第６レンズＬ６は、正の屈折力を有している。また、第６レンズＬ６の形状は、物体側の面が光軸Ｘの近傍で平面であり、像側の面全体が像側に向かって凸形状に形成され、さらに両面に非球面が形成されている。第６レンズＬ６の物体側の面に形成された非球面によって、倍率色収差と歪曲収差を良好に補正している。また、第６レンズＬ６の像側の面全体を像側に凸形状にすることで、当該面から射出する軸外光線の射出角を小さく抑え、軸外の諸収差をより良好に補正している。
【００９２】
なお、第６レンズＬ６の屈折力は、実施例３および実施例４のように、負であってもよい。また、第６レンズＬ６の物体側の面は、実施例３および実施例４のように、光軸Ｘの近傍で屈折力を弱く設定した凹面や凸面でもよい。
【００９３】
本実施の形態に係る撮像レンズは、第１レンズＬ１から第６レンズＬ６のすべてが、それぞれ単レンズで構成されていることが望ましい。単レンズのみの構成は、非球面を多用することができる。本実施形態においては、すべてのレンズ面に適切な非球面を形成することで、良好な諸収差の補正が行われている。また、接合レンズを採用する場合に比較して工数を削減できるため、低コストで製作することが可能となる。
【００９４】
また、本実施の形態に係る撮像レンズは、すべてのレンズにプラスチック材料を採用することで製造を容易にし、低コストでの大量生産を可能にしている。
【００９５】
なお、採用するレンズ材料はプラスチック材料に限定されるものではない。ガラス材料を採用することで、さらなる高性能化を目指すことも可能である。また、すべてのレンズ面を非球面で形成することが望ましいが、要求される性能によっては、製造が容易な球面を採用してもよい。
【００９６】
本実施形態における撮像レンズは、以下の条件式（１）から（２６）を満足することにより、好ましい効果を奏するものである。
（１）０．６０＜ＴＴＬ／ｆ＜１．００
（２）１．００＜ｒ２／ｆ＜１．９０
（３）０．７２＜Ｄ２／Ｄ３＜１．０７
（４）０．５０＜ｒ１０／ｆ＜１．００
（５）−１３．００＜ｒ１２／ｆ＜−１．９０
（６）−０．２０＜（Ｎｄ６−１）／ｒ１１＜０．０
（７）−１．３０＜ｆ２／ｆ＜−０．７０
（８）−１．８０＜ｆ５／ｆ＜−０．８０
（９）０．３０＜Ｔ３／Ｔ４＜０．９０
（１０）０．０５＜Ｄ６／ｆ＜０．２５
（１１）１．８０＜｜ｒ９｜／ｆ＜１９．００
（１２）３．５＜｜ｆ３｜／ｆ
（１３）−７．０＜（Ｄ５／ｆ５）×１００＜−２．０
（１４）９．０＜（Ｔ４／ｆ）×１００＜２４．０
（１５）０．６０＜ＴＴＬ／（２×ｉｈ）＜１．００
（１６）０．４０＜ｆ１／ｆ＜０．８０
（１７）２．０＜｜ｆ６｜／ｆ＜２５．０
（１８）１．２０＜（Ｔ１／ｆ）×１００＜２．５０
（１９）５．０＜（Ｔ３／ｆ）×１００＜１３．０
（２０）ＴＴＬ／ＥＰＤ≦２．５０
（２１）１．５０＜νｄ１／νｄ２＜３．５０
（２２）１．５０＜νｄ３／νｄ４＜３．５０
（２３）１．５０＜νｄ５／νｄ６＜３．５０
（２４）１．００＜Ｄ３／Ｄ４＜１．３０
（２５）５．０＜ｆ４／ｆ
（２６）Ｔ１＜Ｔ２＜Ｔ３＜Ｔ４
ただし、
ＴＴＬ：光学全長
ｆ：撮像レンズ全系の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ５：第５レンズＬ５の焦点距離
ｆ６：第６レンズＬ６の焦点距離
ｒ２：第１レンズＬ１の像側の面の近軸曲率半径
ｒ９：第５レンズＬ５の物体側の面の近軸曲率半径
ｒ１０：第５レンズＬ５の像側の面の近軸曲率半径
ｒ１１：第６レンズＬ６の物体側の面の近軸曲率半径
ｒ１２：第６レンズＬ６の像側の面の近軸曲率半径
Ｄ２：第２レンズＬ２の光軸Ｘ上の厚み
Ｄ３：第３レンズＬ３の光軸Ｘ上の厚み
Ｄ４：第４レンズＬ４の光軸Ｘ上の厚み
Ｄ５：第５レンズＬ５の光軸Ｘ上の厚み
Ｄ６：第６レンズＬ６の光軸Ｘ上の厚み
Ｔ１：第１レンズＬ１の像側の面から第２レンズＬ２の物体側の面までの光軸Ｘ上の距離
Ｔ２：第２レンズＬ２の像側の面から第３レンズＬ３の物体側の面までの光軸Ｘ上の距離
Ｔ３：第３レンズＬ３の像側の面から第４レンズＬ４の物体側の面までの光軸Ｘ上の距離
Ｔ４：第４レンズＬ４の像側の面から第５レンズＬ５の物体側の面までの光軸Ｘ上の距離
Ｎｄ６：第６レンズＬ６のｄ線に対する屈折率
νｄ１：第１レンズＬ１のｄ線に対するアッベ数
νｄ２：第２レンズＬ２のｄ線に対するアッベ数
νｄ３：第３レンズＬ３のｄ線に対するアッベ数
νｄ４：第４レンズＬ４のｄ線に対するアッベ数
νｄ５：第５レンズＬ５のｄ線に対するアッベ数
νｄ６：第６レンズＬ６のｄ線に対するアッベ数
ＥＰＤ：入射瞳直径
ｉｈ：最大像高
なお、上記の各条件式をすべて満足する必要はなく、それぞれの条件式を単独に満たすことで、各条件式に対応した作用効果を得ることができる。
【００９７】
また、本実施形態における撮像レンズは、以下の条件式（１ａ）から（２４ａ）を満足することにより、より好ましい効果を奏するものである。
（１ａ）０．７０＜ＴＴＬ／ｆ＜０．９５
（２ａ）１．１０＜ｒ２／ｆ＜１．８０
（３ａ）０．８０＜Ｄ２／Ｄ３＜１．００
（４ａ）０．５０＜ｒ１０／ｆ＜０．８５
（５ａ）−１１．００＜ｒ１２／ｆ＜−１．８０
（６ａ）−０．１０＜（Ｎｄ６−１）／ｒ１１＜０．０
（７ａ）−１．２０＜ｆ２／ｆ＜−０．８５
（８ａ）−１．７０＜ｆ５／ｆ＜−０．９０
（９ａ）０．３５＜Ｔ３／Ｔ４＜０．８５
（１０ａ）０．０５＜Ｄ６／ｆ＜０．２０
（１１ａ）２．００＜｜ｒ９｜／ｆ＜１７．００
（１２ａ）３．８＜｜ｆ３｜／ｆ＜３０．０
（１３ａ）−６．０＜（Ｄ５／ｆ５）×１００＜−３．０
（１４ａ）１１．０＜（Ｔ４／ｆ）×１００＜２０．０
（１５ａ）０．８５＜ＴＴＬ／（２×ｉｈ）＜１．００
（１６ａ）０．４５＜ｆ１／ｆ＜０．７０
（１７ａ）３．０＜｜ｆ６｜／ｆ＜２３．０
（１８ａ）１．３０＜（Ｔ１／ｆ）×１００＜２．３０
（１９ａ）６．５＜（Ｔ３／ｆ）×１００＜１１．５
（２０ａ）ＴＴＬ／ＥＰＤ≦２．３０
（２１ａ）２．３０＜νｄ１／νｄ２＜３．００
（２２ａ）２．３０＜νｄ３／νｄ４＜３．００
（２３ａ）２．３０＜νｄ５／νｄ６＜３．００
（２４ａ）１．００＜Ｄ３／Ｄ４＜１．２
ただし、各条件式の符号は前の段落での説明と同様である。
【００９８】
本実施形態において、レンズ面の非球面に採用する非球面形状は、光軸方向の軸をＺ、光軸に直交する方向の高さをＨ、近軸曲率半径をＲ、円錐係数をｋ、非球面係数をＡ４、Ａ６、Ａ８、Ａ１０、Ａ１２、Ａ１４、Ａ１６としたとき数式１により表わされる。
【００９９】
【数１】
2020024337.tif 000003
【０１００】
次に、本実施形態に係る撮像レンズの実施例を示す。各実施例において、ｆは撮像レンズ全系の焦点距離を、ＦｎｏはＦナンバーを、ωは半画角を、ｉｈは最大像高を、ＴＴＬは光学全長をそれぞれ示す。また、ｉは物体側から数えた面番号、ｒは近軸曲率半径、ｄは光軸上のレンズ面間の距離(面間隔)、Ｎｄはｄ線（基準波長）の屈折率、νｄはｄ線に対するアッベ数をそれぞれ示す。なお、非球面に関しては、面番号ｉの後に＊（アスタリスク）の符号を付加して示す。
【０１０１】
（実施例１）
【０１０２】
基本的なレンズデータを以下の表１に示す。
【０１０３】
【表１】
2020024337.tif 000004
【０１０４】
実施例１の撮像レンズは、表５に示すように条件式（１）から（２６）を満たしている。
【０１０５】
図２は実施例１の撮像レンズについて、球面収差（ｍｍ）、非点収差（ｍｍ）、歪曲収差（％）を示したものである。球面収差図は、Ｆ線（４８６ｎｍ）、ｄ線（５８８ｎｍ）、Ｃ線（６５６ｎｍ）の各波長に対する収差量を示している。また、非点収差図にはサジタル像面Ｓにおけるｄ線の収差量（実線）、タンジェンシャル像面Ｔにおけるｄ線の収差量（破線）をそれぞれ示している（図４、図６、図８においても同じ）。図２に示すように、各収差は良好に補正されていることが分かる。
【０１０６】
（実施例２）
【０１０７】
基本的なレンズデータを以下の表２に示す。
【０１０８】
【表２】
2020024337.tif 000005
【０１０９】
実施例２の撮像レンズは、表５に示すように条件式（１）から（２６）を満たしている。
【０１１０】
図４は実施例２の撮像レンズについて、球面収差（ｍｍ）、非点収差（ｍｍ）、歪曲収差（％）を示したものである。図４に示すように、各収差は良好に補正されていることが分かる。
【０１１１】
（実施例３）
【０１１２】
基本的なレンズデータを以下の表３に示す。
【０１１３】
【表３】
2020024337.tif 000006
【０１１４】
実施例３の撮像レンズは、表５に示すように条件式（１）から（２６）を満たしている。
【０１１５】
図６は実施例３の撮像レンズについて、球面収差（ｍｍ）、非点収差（ｍｍ）、歪曲収差（％）を示したものである。図６に示すように、各収差は良好に補正されていることが分かる。
【０１１６】
（実施例４）
【０１１７】
基本的なレンズデータを以下の表４に示す。
【０１１８】
【表４】
2020024337.tif 000007
【０１１９】
実施例４の撮像レンズは、表５に示すように条件式（１）から（２６）を満たしている。
【０１２０】
図８は実施例４の撮像レンズについて、球面収差（ｍｍ）、非点収差（ｍｍ）、歪曲収差（％）を示したものである。図８に示すように、各収差は良好に補正されていることが分かる。
【０１２１】
表５に実施例１から実施例４に係る条件式（１）から（２６）の値を示す。
【０１２２】
【表５】
2020024337.tif 000008
【産業上の利用可能性】
【０１２３】
本発明に係る撮像レンズを、カメラ機能を備える製品へ適用した場合、当該カメラの小型化、低背化、および望遠化への寄与とともに、高性能化を図ることができる。
【符号の説明】
【０１２４】
ＳＴ  開口絞り
Ｌ１  第１レンズ
Ｌ２  第２レンズ
Ｌ３  第３レンズ
Ｌ４  第４レンズ
Ｌ５  第５レンズ
Ｌ６  第６レンズ
ｉｈ  最大像高
ＩＲ  フィルタ
ＩＭＧ  撮像面
【図１】
2020024337.tif 000009
【図２】
2020024337.tif 000010
【図３】
2020024337.tif 000011
【図４】
2020024337.tif 000012
【図５】
2020024337.tif 000013
【図６】
2020024337.tif 000014
【図７】
2020024337.tif 000015
【図８】
2020024337.tif 000016